(57)【要約】【課題】荷物を持った人のスムーズな通行処理が可能となる。【解決手段】一般用カードに加え、荷物に付与された無線タグに登録されている情報を読取ることにより、２枚扉を同時に開放することで、警備室等への連絡を行うことなく、２枚扉を同時開放するようにしたものである。【選択図】      図１
2005171639.tif 000002
【特許請求の範囲】
【請求項１】
ＩＤ番号が記憶されているＩＤカード及び無線タグ情報が付与されている荷物を持っての利用により第１、第２の扉を備えた前室を介して区画領域内への入室が行われる入室管理システムにおいて、
上記ＩＤカードに記憶されているＩＤ番号を読取る第１の読取手段と、
荷物に付与された無線タグの情報を読取る第２の読取手段と、
上記第１の読取手段により上記ＩＤカードからＩＤ番号を読取った際に、上記ＩＤカードの携帯者の前室への入室を許可する第１の許可手段と、
この第１の許可手段により前室への入室が許可された際に、上記第１の扉を開き、所定時間後に上記第１の扉を閉じ、この第１の扉が閉じられたのに基づき上記第２の扉を開き、その後所定時間経過したのに基づき上記第２の扉を閉じる第１の処理手段と、
上記第２の読取手段により荷物に付与された無線タグ情報を読み取った際に、荷物を持った上記ＩＤカードの携帯者の前室への入室を許可する第２の許可手段と、
この第２の許可手段により前室への入室が許可された際に、上記第１、第２の扉を開き、その後所定時間経過したのに基づき上記第１、第２の扉を閉じる第２の処理手段と、
を具備したことを特徴とする入室管理システム。
【請求項２】
ＩＤ番号が記憶されているＩＤカード及び無線タグ情報が付与されている荷物を持っての利用により第１、第２の扉を備えた前室を介して区画領域内からの退室が行われる退室管理システムにおいて、
上記ＩＤカードに記憶されているＩＤ番号を読取る第１の読取手段と、
荷物に付与された無線タグの情報を読取る第２の読取手段と、
上記第１の読取手段により上記ＩＤカードからＩＤ番号を読取った際に、上記ＩＤカードの携帯者の前室からの退室を許可する第１の許可手段と、
この第１の許可手段により前室からの退室が許可された際に、上記第２の扉を開き、所定時間後に上記第２の扉を閉じ、この第２の扉が閉じられたのに基づき上記第１の扉を開き、その後所定時間経過したのに基づき上記第１の扉を閉じる第１の処理手段と、
上記第２の読取手段により荷物に付与された無線タグに登録されている情報を読み取った際に、荷物を持った上記ＩＤカードの携帯者の前室からの退室を許可する第２の許可手段と、
この第２の許可手段により前室からの退室が許可された際に、上記第１、第２の扉を開き、その後所定時間経過したのに基づき上記第１、第２の扉を閉じる第２の処理手段と、
を具備したことを特徴とする退室管理システム。
【請求項３】
ＩＤ番号が記憶されているＩＤカード及び無線タグ情報が付与されている荷物を持っての利用により第１、第２の扉を備えた前室を介して区画領域内への入室が行われる入退室管理システムにおいて、
上記前室外かつ上記区画領域外の第１の扉の近傍に設けられ、上記ＩＤカードに記憶されているＩＤ番号を読取る第１の読取手段と、
荷物に付与された無線タグの情報を読取る第２の読取手段と、
第１の読取手段により上記ＩＤカードからＩＤ番号を読取った際に、上記ＩＤカードの携帯者の前室への入室を許可する第１の許可手段と、
この第１の許可手段により前室への入室が許可された際に、上記第１の扉を開き、所定時間後に上記第１の扉を閉じ、この第１の扉が閉じられたのに基づき上記第２の扉を開き、その後所定時間経過したのに基づき上記第２の扉を閉じる第１の処理手段と、
上記第１の読取手段により、ＩＤカードから読取ったＩＤ番号と、上記第２の読取手段により荷物に付与された無線タグに登録されている情報を読取った際に、無線タグ付き荷物を持った上記ＩＤカードの携帯者の前室への入室を許可する第２の許可手段と、
この第２の許可手段により前室への入室が許可された際に、上記第１、第２の扉を開き、その後所定時間経過したのに基づき上記第１、第２の扉を閉じる第２の処理手段と、
上記前室の区間領域内側の第２の扉の近傍に設けられ、上記ＩＤカードに記憶されているＩＤ番号を読取る第３の読取手段と、
荷物に付与された無線タグに登録されている情報を読取る第４の読取手段と、
この第３の読取手段により上記ＩＤカードからＩＤ番号を読取った際に、上記ＩＤカードの携帯者の区画領域内から前室への退室を許可する第３の許可手段と、
この第３の許可手段により区画領域内から前室への退室が許可された際に、上記第２の扉を開き、所定時間後に上記第２の扉を閉じ、この第２の扉が閉じられたのに基づき上記第１の扉を開き、その後所定時間経過したのに基づき上記第１の扉を閉じる第３の処理手段と、
上記第３の読取手段によりＩＤカードからＩＤ番号と、上記第４の読取手段により荷物に付与された無線タグに登録されている情報を読取った際に、無線タグ付き荷物を持った上記ＩＤカードの携帯者の前室外への退室を許可する第４の許可手段と、
この第４の許可手段により前室外への退室が許可された際に、上記第１、第２の扉を開き、その後所定時間経過したのに基づき上記第１、第２の扉を閉じる第４の処理手段と、
を具備したことを特徴とする入退室管理システム。
【請求項４】
ＩＤ番号が記憶されているＩＤカード及び無線タグ情報が付与されている荷物を持っての利用により第１、第２の扉を備えた前室を介して区画領域内への入室が行われる入室管理方法において、
上記ＩＤカードに記憶されているＩＤ番号を読取る第１の読取工程と、
荷物に付与された無線タグの情報を読取る第２の読取工程と、
上記第１の読取工程により上記ＩＤカードからＩＤ番号を読取った際に、上記ＩＤカードの携帯者の前室への入室を許可する第１の許可工程と、
この第１の許可手段により前室への入室が許可された際に、上記第１の扉を開き、所定時間後に上記第１の扉を閉じ、この第１の扉が閉じられたのに基づき上記第２の扉を開き、その後所定時間経過したのに基づき上記第２の扉を閉じる第１の処理工程と、
上記第２の読取工程により荷物に付与された無線タグに登録されている情報を読み取った際に、荷物を持った上記ＩＤカードの携帯者の前室への入室を許可する第２の許可工程と、
この第２の許可工程により前室への入室が許可された際に、上記第１、第２の扉を開き、その後所定時間経過したのに基づき上記第１、第２の扉を閉じる第２の処理工程と、
を具備したことを特徴とする入室管理方法。
【請求項５】
ＩＤ番号が記憶されているＩＤカード及び無線タグ情報が付与されている荷物を持っての利用により第１、第２の扉を備えた前室を介して区画領域内への入室が行われる入室管理システムにおいて、
上記荷物に付与された無線タグの情報に対応して入室許可が与えられるＩＤ番号あるいはＩＤ番号のレベルが記憶されている記憶手段と、
上記ＩＤカードに記憶されているＩＤ番号を読取る第１の読取手段と、
上記荷物に付与された無線タグの情報を読取る第２の読取手段と、
上記第１の読取手段により上記ＩＤカードからＩＤ番号を読取った際に、上記ＩＤカードの携帯者の前室への入室を許可する第１の許可手段と、
この第１の許可手段により前室への入室が許可された際に、上記第１の扉を開き、所定時間後に上記第１の扉を閉じ、この第１の扉が閉じられたのに基づき上記第２の扉を開き、その後所定時間経過したのに基づき上記第２の扉を閉じる第１の処理手段と、
上記第２の読取手段により上記荷物に付与された無線タグに登録されている情報を読み取り、上記第１の読取手段により上記ＩＤカードからＩＤ番号を読取った際に、上記無線タグに登録されている情報とＩＤ番号の対応関係が上記記憶手段に記憶されている場合、荷物を持った上記ＩＤカードの携帯者の前室への入室を許可する第２の許可手段と、
この第２の許可手段により前室への入室が許可された際に、上記第１、第２の扉を開き、その後所定時間経過したのに基づき上記第１、第２の扉を閉じる第２の処理手段と、
を具備したことを特徴とする入室管理システム。
【発明の詳細な説明】
【技術分野】
【０００１】
この発明は、ＩＤカードにより二重ドアにより管理される前室を介して区画領域内への入室を管理する入室管理システムと区画領域内からの前室を介しての退室を管理する退室管理システムと入室管理方法と区画領域内からの退室も管理する入退室管理システムに関する。
【背景技術】
【０００２】
企業や銀行や官庁等の建物ではセキュリティを目的として、ＩＤカードと二重ドアにより管理される前室を介して区画領域内外への入退室を管理する入退室管理システムが実用化されている。
【０００３】
この場合、通行検定箇所に設置されたカードリーダにより、通行者が携帯する非接触ＩＣカード等の読取りを行い、検定判定・電気錠・扉の開閉制御を行う入退室コントローラにより、通行可否判定を行い、通行可の判定がなされた場合には電気錠の解錠等を行うものである。
【０００４】
したがって、立入箇所（区画領域）の出入り口に二枚扉に仕切られた前室を設け、入出両面にカードリーダを設置すると共に、入退室コントローラによりドア制御を行い、通行時に二枚の扉を同時開放せず、１枚づつ扉の開閉を行う、インターロック制御がある。一般的に錠の施解錠・ドア制御を行う、サーバ装置・制御盤等は、建家内の警備室等に設置され集中管理されている為、インターロック仕様の扉を同時開放する際には、都度、警備室等にドア開放を依頼する必要があった。
【発明の開示】
【発明が解決しようとする課題】
【０００５】
この発明は、一般のＩＤカードによる通行を行う際には、一般のインターロックのドア制御を行い、一般のＩＤカードと一般のＩＤカードの携帯者が無線タグ付き荷物を持って通行を行う際には、２枚扉の同時開放を行うことで、通行の利便性を向上させることを目的としている。
【０００６】
また、この発明は、ＩＤカードと荷物に付与される無線タグとの対応関係により、各部屋における無線タグによって管理される単位の物品に対して、部屋からの持ち出し、部屋への持込を、正当な人つまり許可されている人だけができることを目的としている。
【課題を解決するための手段】
【０００７】
この発明の入室管理システムは、ＩＤ番号が記憶されているＩＤカード及び無線タグ情報が付与されている荷物を持っての利用により第１、第２の扉を備えた前室を介して区画領域内への入室が行われるものにおいて、上記ＩＤカードに記憶されているＩＤ番号を読取る第１の読取手段と、荷物に付与された無線タグの情報を読取る第２の読取手段と、上記第１の読取手段により上記ＩＤカードからＩＤ番号を読取った際に、上記ＩＤカードの携帯者の前室への入室を許可する第１の許可手段と、この第１の許可手段により前室への入室が許可された際に、上記第１の扉を開き、所定時間後に上記第１の扉を閉じ、この第１の扉が閉じられたのに基づき上記第２の扉を開き、その後所定時間経過したのに基づき上記第２の扉を閉じる第１の処理手段と、上記第２の読取手段により荷物に付与された無線タグに登録されている情報を読み取った際に、荷物を持った上記ＩＤカードの携帯者の前室への入室を許可する第２の許可手段と、この第２の許可手段により前室への入室が許可された際に、上記第１、第２の扉を開き、その後所定時間経過したのに基づき上記第１、第２の扉を閉じる第２の処理手段とを有する。
【０００８】
この発明の退室管理システムは、ＩＤ番号が記憶されているＩＤカード及び無線タグ情報が付与されている荷物を持っての利用により第１、第２の扉を備えた前室を介して区画領域内からの退室が行われるものにおいて、上記ＩＤカードに記憶されているＩＤ番号を読取る第１の読取手段と、荷物に付与された無線タグの情報を読取る第２の読取手段と、上記第１の読取手段により上記ＩＤカードからＩＤ番号を読取った際に、上記ＩＤカードの携帯者の前室からの退室を許可する第１の許可手段と、この第１の許可手段により前室からの退室が許可された際に、上記第２の扉を開き、所定時間後に上記第２の扉を閉じ、この第２の扉が閉じられたのに基づき上記第１の扉を開き、その後所定時間経過したのに基づき上記第１の扉を閉じる第１の処理手段と、上記第２の読取手段により荷物に付与された無線タグに登録されている情報を読み取った際に、荷物を持った上記ＩＤカードの携帯者の前室からの退室を許可する第２の許可手段と、この第２の許可手段により前室からの退室が許可された際に、上記第１、第２の扉を開き、その後所定時間経過したのに基づき上記第１、第２の扉を閉じる第２の処理手段とを有する。
【０００９】
この発明の入退室管理システムは、ＩＤ番号が記憶されているＩＤカード及び無線タグ情報が付与されている荷物を持っての利用により第１、第２の扉を備えた前室を介して区画領域内への入室が行われるものにおいて、上記前室外かつ上記区画領域外の第１の扉の近傍に設けられ、上記ＩＤカードに記憶されているＩＤ番号を読取る第１の読取手段と、荷物に付与された無線タグの情報を読取る第２の読取手段と、第１の読取手段により上記ＩＤカードからＩＤ番号を読取った際に、上記ＩＤカードの携帯者の前室への入室を許可する第１の許可手段と、この第１の許可手段により前室への入室が許可された際に、上記第１の扉を開き、所定時間後に上記第１の扉を閉じ、この第１の扉が閉じられたのに基づき上記第２の扉を開き、その後所定時間経過したのに基づき上記第２の扉を閉じる第１の処理手段と、上記第１の読取手段により、ＩＤカードから読取ったＩＤ番号と、上記第２の読取手段により荷物に付与された無線タグに登録されている情報を読取った際に、無線タグ付き荷物を持った上記ＩＤカードの携帯者の前室への入室を許可する第２の許可手段と、この第２の許可手段により前室への入室が許可された際に、上記第１、第２の扉を開き、その後所定時間経過したのに基づき上記第１、第２の扉を閉じる第２の処理手段と、上記前室の区画領域内側の第２の扉の近傍に設けられ、上記ＩＤカードに記憶されているＩＤ番号を読取る第３の読取手段と、荷物に付与された無線タグに登録されている情報を読取る第４の読取手段と、この第３の読取手段により上記ＩＤカードからＩＤ番号を読取った際に、上記ＩＤカードの携帯者の区画領域内から前室への退室を許可する第３の許可手段と、この第３の許可手段により区画領域内から前室への退室が許可された際に、上記第２の扉を開き、所定時間後に上記第２の扉を閉じ、この第２の扉が閉じられたのに基づき上記第１の扉を開き、その後所定時間経過したのに基づき上記第１の扉を閉じる第３の処理手段と、上記第３の読取手段によりＩＤカードからＩＤ番号と、上記第４の読取手段により荷物に付与された無線タグに登録されている情報を読取った際に、無線タグ付き荷物を持った上記ＩＤカードの携帯者の前室外への退室を許可する第４の許可手段と、この第４の許可手段により前室外への退室が許可された際に、上記第１、第２の扉を開き、その後所定時間経過したのに基づき上記第１、第２の扉を閉じる第４の処理手段とを有する。
【００１０】
この発明の入室管理システムは、ＩＤ番号が記憶されているＩＤカード及び無線タグ情報が付与されている荷物を持っての利用により第１、第２の扉を備えた前室を介して区画領域内への入室が行われるものにおいて、上記荷物に付与された無線タグの情報に対応して入室許可が与えられるＩＤ番号あるいはＩＤ番号のレベルが記憶されている記憶手段と、上記ＩＤカードに記憶されているＩＤ番号を読取る第１の読取手段と、上記荷物に付与された無線タグの情報を読取る第２の読取手段と、上記第１の読取手段により上記ＩＤカードからＩＤ番号を読取った際に、上記ＩＤカードの携帯者の前室への入室を許可する第１の許可手段と、この第１の許可手段により前室への入室が許可された際に、上記第１の扉を開き、所定時間後に上記第１の扉を閉じ、この第１の扉が閉じられたのに基づき上記第２の扉を開き、その後所定時間経過したのに基づき上記第２の扉を閉じる第１の処理手段と、上記第２の読取手段により上記荷物に付与された無線タグに登録されている情報を読み取り、上記第１の読取手段により上記ＩＤカードからＩＤ番号を読取った際に、上記無線タグに登録されている情報とＩＤ番号の対応関係が上記記憶手段に記憶されている場合、荷物を持った上記ＩＤカードの携帯者の前室への入室を許可する第２の許可手段と、この第２の許可手段により前室への入室が許可された際に、上記第１、第２の扉を開き、その後所定時間経過したのに基づき上記第１、第２の扉を閉じる第２の処理手段とを有する。
【発明の効果】
【００１１】
以上詳述したように、この発明によれば、一般のＩＤカードによる通行を行う際には、一般のインターロックのドア制御を行い、一般のＩＤカードと一般のＩＤカードの携帯者が無線タグ付き荷物を持って通行を行う際には、２枚扉の同時開放を行うことで、通行の利便性を向上させることができる。
【００１２】
また、この発明によれば、ＩＤカードと荷物に付与される無線タグとの対応関係により、各部屋における無線タグによって管理される単位の物品に対して、部屋からの持ち出し、部屋への持込を、正当な人つまり許可されている人だけができる。
【発明を実施するための最良の形態】
【００１３】
［実施例１］
以下、図面を参照してこの発明の実施形態の入退室管理システムを説明する。
【００１４】
この入退室管理システムは、図１、図２に示すように、企業や銀行や官庁等の建物内でのセキュリティを目的として、二重（２枚）ドア（自動ドア）１（第１の扉）、２（第２の扉）により管理される前室３を介して区画領域４としての電算機室４への入退室を管理するものであり、たとえば、電算機室４と通路側としてのエレベータホール４ａとの間の入退室の管理を行うものである。管理する部屋は１室だけとは限らず複数室であっても良い。
【００１５】
上記入退室管理システムでは、図１に示すように、管理室あるいは管理棟２１に設置されている入退室管理サーバ５とプリンタ６とが備えられている。プリンタ６は入退室管理サーバ５に接続されている。
また、電算機室４の入退室部（前室３）２２には、入退室制御部としての入退室コントローラ８が備えられている。この入退室コントローラ８は、シリアル通信回線あるいはＬＡＮ７を介して入退室管理サーバ５と接続されている。なお、図１では、シリアル通信回線を介した場合を示している。
【００１６】
この入退室コントローラ８は、カードリーダ９、１０、無線タグ読取リーダ１１、１２、自動ドア１、２をコントロールしている。
【００１７】
カードリーダ９、１０（第１の読取手段）及び無線タグ読取リーダ１１、１２（第２の読取手段）は、それぞれ前室３の外側かつ自動ドア１、２の近傍に設けられている。カードリーダ９及び無線タグ読取リーダ１１は、エレベータホール４ａ側の壁面（前室入口側）に設けられ、カードリーダ１０及び無線タグ読取リーダ１２は、前室３の電算機室（矩形領域）４側に面した壁面に設けられている。
【００１８】
この入退室管理システムで用いられるＩＤカードとしては、一般カードＣａを用いるようになっている。このＩＤカードとしては、ＩＣカードで構成されるが、接触式であって非接触式であっても良いが、カードリーダ９、１０は対応したものとなる。
【００１９】
また、本発明の利便性を示すために、ここでは非接触式としている。
【００２０】
この入退室管理システムでは、図３に示すように、無線タグＣｂは荷物に付与されるものであり、非接触式の無線タグＣｂである。この無線タグＣｂはあらかじめ管理室あるいは管理棟２１あるいは入口にて荷物に付与される。
入退室管理サーバ５はＩＤカードを付与者の情報（ＩＤ番号等）、通行区域の設定情報、通行履歴等の情報により一元的に管理するものである。また、入退室管理サーバ５はＩＤ番号に基づく通行可否判定情報等を入退室コントローラ８に配信するものである。
【００２１】
入退室コントローラ８は、ＩＤ番号に基づく通行可否判定情報等を保存し、この保存情報とカードリーダ９、１０から送信されるカード情報（ＩＤ番号等）とに基づいて、通行場所の通行可否判定を行う装置である。
【００２２】
また、入退室コントローラ８は、判定結果・機器状態等の履歴情報を、シリアル通信回線あるいはＬＡＮ７を経由し、入退室管理サーバ５に送信を行う。また、入退室コントローラ８は、自動ドア１、２の開、閉を行ったり、自動ドア１、２の開、閉の状態を検出することにより、インターロック機能を実現するものである。
【００２３】
また、入退室コントローラ８は、自動ドア１、２に対する開、閉の制御を行う際に、安全センサ（図示しない）からの検知信号に基づいて、作動するものである。
【００２４】
入退室管理システムにおいて、一般カードＣａの設定、無線タグＣｂの情報の設定を入退室管理サーバ５にて行う。この設定を行った内容は、オペレータの処理により、各入退室コントローラ８に配信をされる。
【００２５】
この配信された一般カードＣａ、無線タグＣｂの通行判定情報は、各入退室コントローラ８に保存される。
【００２６】
入退室コントローラ８により、一般カードＣａによる通行を行う際には、一般のインターロックのドア制御を行い、無線タグＣｂが付与された荷物を持った通行を行う際には、２枚の自動ドア１、２の同時開放を行う。
【００２７】
入退室管理システムにおけるインターロック制御を行っている通行箇所について、一般通行用カード（一般カード）Ｃａに加え、無線タグＣｂによる管理を行うことで、通行の利便性を向上させるものである。
【００２８】
次に、上記構成に基づく、一般カードＣａによる通行処理と無線タグＣｂ付き荷物を持った状態での通行処理とを、図４に示すフローチャートと、図５に示す一般カード判定時のインターロック処理の説明図と、図６に示す無線タグＣｂによるインターロック解除処理の説明図とを用いて説明する。
【００２９】
まず、一般カードＣａのカード保有者（荷物を持たない）は、通行時に、図５の（ａ）に示すように、各管理対象の自動ドア１に近接されているカードリーダ９にそのカードを挿入する（ＳＴ１）。
【００３０】
これにより、カードリーダ９は一般カードＣａに登録されている情報（ＩＤ番号等）を読取り、入退室コントローラ８を介して入退室管理サーバ５に配信する。
入退室管理サーバ５（第１の許可手段）は、カードリーダ９から配信されたＩＤ番号等に基づいて、一般カードＣａのカード保有者による自動ドア１内への立ち入りの許可（検定ＯＫ）を判断し（ＳＴ２）、入退室コントローラ８（第１の処理手段）を制御し、自動ドア１を開く（ＳＴ３）。この自動ドア１が開くことにより、図５の（ｂ）に示すように、一般カードＣａのカード保有者はエレベータホール４ａから前室３内に入る。
【００３１】
この後、自動ドア１が開いてから所定時間経過した際（ＳＴ４）、入退室コントローラ８により自動ドア１が閉じる（ＳＴ５）。そして、図示しない検知器からの検知信号により、入退室コントローラ８はこの自動ドア１が完全に閉じたことを判断したのに基づき、自動ドア２を開く（ＳＴ６）。この自動ドア２が開くことにより、図５の（ｃ）に示すように、一般カードＣａのカード保有者は前室３内を通過し、電算機室４内に入る。
【００３２】
この後、自動ドア２が開いてから所定時間経過したのに基づき（ＳＴ７）、入退室コントローラ８により自動ドア２が閉じる（ＳＴ８）。
【００３３】
また、図５の（ｃ）に示すような状態で、電算機室４側からエレベータホール４ａ側へ不正に出ようとしても、図５の（ｄ）に示すように、自動ドア１により阻むことができる。
【００３４】
また、上記ステップ２にて、カード保有者による自動ドア１内への立ち入りの不許可（検定ＮＧ）を判断した際、入退室コントローラ８は、図示しないスピーカにより警報を発報する（ＳＴ９）。
【００３５】
このように、同時に２枚の自動ドア１、２が開放去れることがない機構により、逆方向からの無検定による通行を抑止できる。
【００３６】
また、逆の電算機室４からエレベータホール４ａへ出る場合も上記同様に実施できる。
【００３７】
次に、無線タグＣｂが付与された荷物を持った一般カードＣａのカード保有者は、通行時に、図６の（ａ）に示すように、各管理対象の自動ドア１に近接されている無線タグ読取リーダ１１に、荷物に付与された無線タグＣｂを翳す（ＳＴ１）。
【００３８】
この動作により、無線タグ読取リーダ１１（第２の読取手段）は、無線タグＣｂに登録されている情報を読取り、入退室コントローラ８を介して入退室管理サーバ５に配信する。
入退室管理サーバ５（第２の許可手段）はこの配信された情報が無線タグ情報の場合、登録された無線タグＣｂであれば検定ＯＫの判定を行う（ＳＴ１０）。その後、無線タグＣｂ付き荷物を持った一般カードＣａのカード保有者は、カードリーダ９にその一般カードＣａを挿入したり、翳したりする。これにより、カードリーダ９は一般カードＣａの読取り処理を行い、入退室コントローラ８を介して入退室管理サーバ５に配信する（ＳＴ１１）。
【００３９】
次に、入退室管理サーバ５は、カードリーダ９から配信された一般カードＣａのＩＤ番号等に基づいて、一般カードＣａのカード保有者によるドア１、２内への立ち入りの許可（検定ＯＫ）を判断した際（ＳＴ１２）、入退室コントローラ８を制御し、自動ドア１、２の両方を開く（ＳＴ１３）。この自動ドア１、２が開くことにより、図６の（ｂ）（ｃ）に示すように、無線タグ付き荷物を持った一般カードＣａのカード保有者は電算機室４内に入ることができる。
【００４０】
この後、前室３を通過してから所定時間経過した際（ＳＴ１４）、入退室コントローラ８は、自動ドア１、２の両方を閉じる（ＳＴ１５）。  
また、上記ステップ１０にて無線タグＣｂの情報が登録されていない場合には、ドア１内への立ち入りを不許可とし、入退室コントローラ８は、図示しないスピーカにより警報を発報する（ＳＴ１６）。
【００４１】
また、上記ステップ１２にてカード保有者による自動ドア１内への立ち入りの不許可（検定ＮＧ）を判断した際、入退室コントローラ８は、図示しないスピーカにより警報を発報する（ＳＴ１７）。
【００４２】
また、逆の電算機室４からエレベータホール４ａへ出る（退出）場合も上記同様に実施できる。
また、上記例では、通行者が無線タグ付き荷物を持った場合を説明したが、台車を用いた場合も無線タグ読取リーダの設置位置を調整することにより、同様に対処できる。
【００４３】
上記したように、一般用カードに加え、荷物に付与された無線タグ情報を読取ることにより、２枚扉を同時に開放することで、警備室等への連絡を行うことなく、２枚扉を同時開放する為、荷物を持った人のスムーズな通行処理が可能となる。
【００４４】
上記例では、無線タグと一般カードとによりインターロックの解除を行ったが、無線タグだけでインターロックの解除を行うようにしてもよい。
【００４５】
［実施例２］
この実施例では、図７に示すように、図１のシステムに対して、電算機室４内にパーソナルコンピュータ等の端末３０が設けられ、この端末３０には無線タグ読取リーダ３１が接続されている。また、端末３０は、シリアル通信回線あるいはＬＡＮ７を介して入退室管理サーバ５と接続されている。上記無線タグ読取リーダ３１は、上記無線タグ読取リーダ１１と同じものである。
【００４６】
まず、荷物に付与される無線タグＣｂに対応するＩＤ番号の設定処理を、図８に示すフローチャートを参照しつつ説明する。
すなわち、電算機室４内で重要な持ち出しに制限が必要な書類や記憶媒体等の荷物が発生した際、電算機室４の係員は持ち出しできる人に対応するＩＤ番号あるいは持ち出しできる人に対応するＩＤ番号のレベルを端末３０により設定する（ＳＴ２１）。この係員は、端末３０によって電算機室４の管理者として認証されている。
また、電算機室４の係員は端末３０に接続されている無線タグ読取リーダ３１に対して上記荷物に取り付ける無線タグＣｂを翳す（ＳＴ２２）。
【００４７】
これにより、端末３０は無線タグ読取リーダ３１により読取った無線タグＣｂの情報と設定された持ち出しできる人に対応するＩＤ番号あるいは持ち出しできる人に対応するＩＤ番号のレベルを、入退室管理サーバ５に配信する（ＳＴ２３）。
また、係員は上記無線タグＣｂを荷物に取り付ける。
これにより、入退室管理サーバ５は端末３０からの無線タグ読取リーダ３１により読取った無線タグＣｂの情報と設定された持ち出しできる人に対応するＩＤ番号あるいは持ち出しできる人に対応するＩＤ番号のレベルを登録する（ＳＴ２４）。
【００４８】
このような状態において、無線タグＣｂが付与された荷物の電算機室４内からの持ち出しについて、図９に示すフローチャートと、図１０に示す無線タグＣｂによるインターロック解除処理の説明図とを用いて説明する
すなわち、無線タグＣｂが付与された荷物を持った一般カードＣａのカード保有者は、通行時に、図１０の（ａ）に示すように、電算機室４側の自動ドア２に近接されている無線タグ読取リーダ１２に、荷物に付与された無線タグＣｂを翳す。
【００４９】
この動作により、無線タグ読取リーダ１２は、無線タグＣｂに登録されている情報を読取り、入退室コントローラ８を介して入退室管理サーバ５に配信する（ＳＴ３２）。
入退室管理サーバ５はこの配信された情報が無線タグ情報の場合、登録された無線タグＣｂであれば検定ＯＫの判定を行う（ＳＴ３３）。その後、無線タグＣｂ付き荷物を持った一般カードＣａのカード保有者は、カードリーダ１１にその一般カードＣａを挿入したり、翳したりする。これにより、カードリーダ１１は一般カードＣａの読取り処理を行い、入退室コントローラ８を介して入退室管理サーバ５に配信する（ＳＴ３４）。
【００５０】
次に、入退室管理サーバ５は、上記無線タグ情報に対応して登録されているＩＤ番号とカードリーダ１１から配信された一般カードＣａのＩＤ番号とが一致した（かつＩＤ番号のレベルが所定値以上の）際に、無線タグ付き荷物を持った一般カードＣａのカード保有者によるドア１、２内への立ち入りの許可（検定ＯＫ）を判断し（ＳＴ３５）、入退室コントローラ８を制御し、自動ドア１、２の両方を開く（ＳＴ３６）。この自動ドア１、２が開くことにより、図１０の（ｂ）（ｃ）に示すように、無線タグ付き荷物を持った一般カードＣａのカード保有者は電算機室４からエレベータホール４ａに出ることができる。
【００５１】
この後、前室３を通過してから所定時間経過したのに基づき（ＳＴ３７）、入退室コントローラ８は、自動ドア１、２の両方を閉じる（ＳＴ３８）。  
また、上記ステップ３３にて無線タグＣｂの情報が登録されていない場合には、ドア２内への立ち入りを不許可とし、入退室コントローラ８は、図示しないスピーカにより警報を発報する（ＳＴ３９）。
【００５２】
また、上記ステップ３５にてカード保有者による自動ドア２内への立ち入りの不許可（検定ＮＧ）を判断したのに基づき、入退室コントローラ８は、図示しないスピーカにより警報を発報する（ＳＴ４０）。
【００５３】
また、電算機室での機密書類等が入っている荷物を持ち込む場合も同様に実施できる。
【００５４】
このように、電算機室での機密書類等が入っている荷物を持ち出す（持ち込む）ことができる人を限定でき、セキュリティを保つことができる。
【００５５】
各部屋における無線タグによって管理される単位の物品に対して、部屋からの持ち出し、部屋への持込を、正当な人つまり許可されている人だけができる。
【図面の簡単な説明】
【００５６】
【図１】この発明の実施形態を説明するための入退室管理システムの概略構成を示す図。
【図２】二重（２枚）ドアにより管理される前室及び機器の配置を説明するための図。
【図３】荷物に付与された無線タグを説明するための図。
【図４】一般カードによる通行処理と荷物に付与された無線タグによる通行処理を説明するためのフローチャート。
【図５】インターロック処理を説明するための図。
【図６】無線タグによるインターロック解除処理を説明するための図。
【図７】荷物に付与される無線タグＣｂに対応するＩＤ番号の設定処理を説明するためのフローチャート。
【図８】入退室管理システムの概略構成を示す図。
【図９】インターロック処理を説明するための図。
【図１０】一般カードと荷物に付与された無線タグによる通行処理を説明するためのフローチャート。
【符号の説明】
【００５７】
１、２…自動ドア、３…前室、４…区画領域、５…入退室管理サーバ、６…シリアル通信回線あるいはＬＡＮ、８…入退室コントローラ、９、１０…カードリーダ、１１、１２…無線タグ読取リーダ、Ｃａ…一般カード、Ｃｂ…無線タグ。
【図１】
2005171639.tif 000003
【図２】
2005171639.tif 000004
【図３】
2005171639.tif 000005
【図４】
2005171639.tif 000006
【図５】
2005171639.tif 000007
【図６】
2005171639.tif 000008
【図７】
2005171639.tif 000009
【図８】
2005171639.tif 000010
【図９】
2005171639.tif 000011
【図１０】
2005171639.tif 000012